(57)【要約】【課題】生理用品や薬品をトイレ使用状態で得ることが可能な小物入れ付きトイレットペーパ保管容器を提供する。【解決手段】断面四角形あるいは断面円形の筒体の上端がトイレットペーパ挿入口部を形成する空中孔となっており、前記筒体の中間部に板状部材からなるトイレットペーパ保持部が設けられ、その前面（一側面）の所定位置にトイレットペーパ取り出し口部が設けられたトイレットペーパ保管筐部と、当該筒体のトイレットペーパ保管筐部の底面の下部に生理用品、薬品等の小物入れ筐体を引き出し可能に設けるための小物入れ筐体収納部とが一体に構成された断面四角形あるいは断面円形の筒状トイレットペーパ保管容器と、前記小物入れ筐体収納部に引き出し可能に設けられた小物入れ筐体とを具備する小物入れ付きトイレットペーパ保管容器である。【選択図】　　　　図１
2004105362.tif 000002
【特許請求の範囲】
【請求項１】
断面四角形あるいは断面円形の筒体の上端がトイレットペーパ挿入口部を形成する空中孔となっており、前記筒体の中間部に板状部材からなるトイレットペーパ保持部が設けられ、その前面（一側面）の所定位置にトイレットペーパ取り出し口部が設けられたトイレットペーパ保管筐部と、当該筒体のトイレットペーパ保管筐部の底面の下部に生理用品、薬品等の小物入れ筐体を引き出し可能に設けるための小物入れ筐体収納部とが一体に構成された断面四角形あるいは断面円形の筒状トイレットペーパ保管容器と、前記小物入れ筐体収納部に引き出し可能に設けられた小物入れ筐体とを具備することを特徴とする小物入れ付きトイレットペーパ保管容器。
【発明の詳細な説明】
【０００１】
【発明の属する技術分野】
本発明は、小物入れ付きトイレットペーパ保管容器に関するものである。
【０００２】
【従来の技術】
従来のトイレットペーパ保管は、一般に使用されているトイレットペーパ切断具の近傍にトイレットペーパ保管用ベルトや保管用袋などを設けて行っている。
【０００３】
【発明が解決しようとする課題】
前記トイレットペーパ保管用ベルトや保管用袋には生理用品、薬品等の小物入れが備えられていないため、生理用品や薬品を持参するのを忘れた時に、困る場合があった。
【０００４】
本発明の目的は、生理用品や薬品をトイレ使用状態で取得することが可能な小物入れ付きトイレットペーパ保管容器を提供することにある。
【０００５】
本発明の前記ならびにその他の目的と新規な特徴は、本明細書の記述及び添付図面によって明らかにする。
【０００６】
【課題を解決するための手段】
本願において開示される発明の概要を簡単に説明すれば、以下のとおりである。
【０００７】
本願発明は、断面四角形あるいは断面円形の筒体の上端がトイレットペーパ挿入口部を形成する空中孔となっており、前記筒体の中間部に板状部材からなるトイレットペーパ保持部が設けられ、その前面（一側面）の所定位置にトイレットペーパ取り出し口部が設けられたトイレットペーパ保管筐部と、当該筒体のトイレットペーパ保管筐部の底面の下部に生理用品、薬品等の小物入れ筐体を引き出し可能に設けるための小物入れ筐体収納部とが一体に構成された断面四角形あるいは断面円形の筒状トイレットペーパ保管容器と、前記小物入れ筐体収納部に引き出し可能に設けられた小物入れ筐体とを具備する小物入れ付きトイレットペーパ保管容器である。
【０００８】
このようにトイレットペーパ切断具の近傍に、小物入れ付きトイレットペーパ保管容器を設置することにより、生理用品や薬品をトイレ使用状態で取得することができる。
【０００９】
以下、本発明について、図面を参照して実施の形態（実施例）とともに詳細に説明する。
なお、実施例を説明するための全図において、同一機能を有するものは同一符号を付け、その繰り返しの説明は省略する。
【００１０】
【発明の実施の形態】
（実施例１）
図１は本発明による実施例１の小物入れ付きトイレットペーパ保管容器の概略構成を示す斜視図である。図２は小物入れ筐体の概略構成を示す図であり、（ａ）はその全体斜視、（ｂ）は上から見た平面図、（ｃ）は（ｂ）の把手（取手）部をＡ−Ａ’断面矢印方向から見た図、（ｄ）は（ｂ）の把手（取手）部のＢ−Ｂ’断面図である。
【００１１】
図１に示すように、本実施例１のトイレットペーパ保管容器１は、断面四角形の筒体の上端がトイレットペーパ挿入口部２を形成する空中孔となっており、前記筒体１の中間部に板状部材からなるトイレットペーパ保持部３が設けられ、その前面（一側面）の所定位置にトイレットペーパ取り出し口部４が設けられたトイレットペーパ保管筐部１０と、当該筒体１のトイレットペーパ保管筐部１０の底面の下部に生理用品、薬品等の小物入れ筐体を引き出し可能に設けるための小物入れ筐体収納部５とが一体に構成されている。
【００１２】
本実施例１の小物入れ付きトイレットペーパ保管容器は、図１に示すように、前記断面四角形の筒状トイレットペーパ保管容器１と、前記小物入れ筐体収納部に引き出し可能に設けられた小物入れ筐体収納部５とからなっている。
【００１３】
前記トイレットペーパ保管容器１は、例えば、プラスチック材等の樹脂で金型により一体成形して製作する。また、前記小物入れ筐体２０も同様にプラスチック材等の樹脂で金型により一体成形して製作する。
【００１４】
前記トイレットペーパ取り出し口部４の両サイドにトイレットペーパの取り出しを容易にするための切り込み部４Ａが設けられている。
【００１５】
前記小物入れ筐体２０は、図２（ａ）に示すように、断面四角形の筒体の上端に小物入れ入口部２０Ａを形成する空中孔となっており、底面に板状部材２０Ｂで密封して小物収容部が形成されている。前記断面四角形の筒体の前面（一側面）には、当該小物入れ筐体２０を前記小物入れ筐体収納部５から引き出したり、閉じたりするための把手（取手）部２０Ｃが設けられている。この把手（取手）部２０Ｃの取り付けは、図２の（ｂ）、（ｃ）、（ｄ）に示すように、前記小物入れ筐体収納部５に設けられている複数の固定用突起２０Ｃ１に一面開口（一面が開かれた）の長方体状の把手用筐体２０Ｃ２が嵌め込まれ、該固定用突起２０Ｃ１と把手用筐体２０Ｃ２との弾性力を利用して固定する。すなわち、長方体状の把手用筐体２０Ｃ２の一面開口の面積は複数の固定用突起２０Ｃ１が占める領域の面積よりわずかに小さく構成されている。前記固定用突起２０Ｃ１は例えばプラスチック材で金型により成形して製作する。
【００１６】
また、前記把手（取手）部２０Ｃの把手は、図２（ｄ）に示すように、小物入れ筐体２０の前面壁の一部を前記長方体状の把手用筐体２０Ｃ２の一面開口部に突出させた突出壁２０Ｃ３を手で把手して小物入れ筐体２０を引き出したり、閉じたりする操作を行う。
【００１７】
前記把手（取手）部２０Ｃを取り付けるための固定用突起２０Ｃ１は、前記小物入れ筐体収納部５と例えばプラスチック材で金型により一体成形して製作する。また、前記把手（取手）部２０Ｃの取り付けは、強接着力の接着剤により取り付けてもよい。
【００１８】
（実施例２）
図３は本発明による実施例２の小物入れ付きトイレットペーパ保管容器の概略構成を示す斜視図、図４は図４のＡ−Ａ線で切った断面図、図５は小物入れ筐体の概略構成を示す正面図である。
【００１９】
図３に示すように、本実施例２のトイレットペーパ保管容器１は、断面円形の筒体の上端がトイレットペーパ挿入口部２を形成する空中孔となっており、前記筒体の中間部に板状部材からなるトイレットペーパ保持部３が設けられ、その前面（一側面）の所定位置にトイレットペーパ取り出し口部４が設けられたトイレットペーパ保管筐部１０と、当該筒体１のトイレットペーパ保管筐部１０の底面の下部に生理用品、薬品等の小物入れ筐体を引き出し可能に設けるための小物入れ筐体収納部５とが一体に構成されている。
【００２０】
本実施例２の小物入れ付きトイレットペーパ保管容器は、図３に示すように、前記断面円形の筒状トイレットペーパ保管容器１と、前記小物入れ筐体収納部に引き出し可能に設けられた小物入れ筐体収納部５とからなっている。
【００２１】
本実施例２のトイレットペーパ保管容器は、例えば、プラスチック材等の樹脂で金型により一体成形して製作する。また、前記小物入れ筐体２０も同様にプラスチック材等の樹脂で金型により一体成形して製作する。
【００２２】
前記小物入れ筐体２０は、図４及び図５に示すように、基本的には前記実施例１と同様の構造であり、断面四角形の筒体の上端に空中孔の小物入れ入口部２０Ａが設けられ、底面に板状部材２０Ｂで密封して小物収容部が形成されている。前記断面四角形の筒体の前面（一側面）には、当該小物入れ筐体２０を前記小物入れ筐体収納部５から引き出すための把手（取手）部２０Ｃが設けられている。この把手（取手）部２０Ｃの取り付けは、前記小物入れ筐体収納部５に設けられている複数の固定用突起２０Ｃ１に一面開口（一面が開かれた）の長方体状の把手用筐体２０Ｃ２が嵌め込まれ、該固定用突起２０Ｃ１と把手用筐体２０Ｃ２との弾性力を利用して固定する。
【００２３】
本発明の小物入れ付きトイレットペーパ保管容器１００は、図６に示すように、トイレットペーパ切断具２００の近傍に取り付けねじあるいは接着剤により取り付けられる。図６において、ＷＣＰはトイレットペーパである。
【００２４】
以上、本発明を、前記実施例に基づき具体的に説明したが、本発明は、前記実施例に限定されるものではなく、その要旨を逸脱しない範囲において種々変更可能であることは勿論である。
【００２５】
【発明の効果】
本願において開示される発明によって得られる効果を簡単に説明すれば、以下のとおりである。
本発明の小物入れ付きトイレットペーパ保管容器によれば、生理用品や薬品をトイレ使用状態ですぐに取得することができるので便利である。
【図面の簡単な説明】
【図１】本発明による実施例１の小物入れ付きトイレットペーパ保管容器の概略構成を示す斜視図である。
【図２】本実施例１の小物入れ筐体の概略構成を示す図である。
【図３】本発明による実施例２の小物入れ付きトイレットペーパ保管容器の概略構成を示す斜視図である。
【図４】図３のＣ−Ｃ’線で切った断面矢印方向から見た図である。
【図５】本実施例２の小物入れ付きトイレットペーパ保管容器の小物入れ筐体の把手（取手）部の概略構成を示す正面図である。
【図６】本発明の小物入れ付きトイレットペーパ保管容器の使用状態を示す図である。
【符号の説明】
１…トイレットペーパ保管容器　　　２…トイレットペーパ挿入口部
３…トイレットペーパ保持部　　　　４…トイレットペーパ取り出し口部
５…小物入れ筐体収納部　　　　　　１０…トイレットペーパ保管筐部
２０…小物入れ筐体　　　　　　　２０Ａ…小物入れ入口部
２０Ｂ…底面板状部材　　　　　　　２０Ｃ…把手（取手）部
２０Ｃ１…固定用突起　　　　　　　２０Ｃ２…把手用筐体
２０Ｃ３…突出壁　　　　　　　　　ＷＣＰ…トイレットペーパ
１００…小物入れ付きトイレットペーパ保管容器
２００…トイレットペーパ切断具
【図１】
2004105362.tif 000003
【図２】
2004105362.tif 000004
【図３】
2004105362.tif 000005
【図４】
2004105362.tif 000006
【図５】
2004105362.tif 000007
【図６】
2004105362.tif 000008